(57)【要約】      （修正有）【課題】ＡＣアダプターの立ち上がり特性に依存しない二次電池の充電状態を監視することが可能な充電電流測定構造を提供する。【解決手段】ＡＣ電流を通電、遮断するための切替回路３、通電を開始してからの時間を計数する時間計数回路８、ＡＣ電流値を測定する電流値測定回路を備え、通電を開始してから所定時間経過以降の電流値を電流値測定回路により適宜計測することにより、ＡＣアダプター固有の立ち上がり特性に伴う突入電流による影響を排除し、または測定した電流値を記憶する記憶回路１０、ならびに測定した電流値から記憶回路１０に記憶した電流値を減算する演算回路１１を備えることにより、携帯端末未接続状態において通電を開始してから所定時間経過以降に測定するＡＣアダプター単体の電流値を記憶回路１０に記憶し、携帯端末接続状態において測定した電流値から携帯端末未接続状態において測定記憶したＡＣアダプター単体の電流値を減算処理する。【選択図】図３
0003219096.tif 000002
【実用新案登録請求の範囲】
【請求項１】
ＡＣアダプターに供給するＡＣ電流を監視して携帯端末に内装される二次電池への充電状態を監視する充電構成に関して、ＡＣ電流を通電、遮断するための切替回路、通電を開始してからの時間を計数する計時回路、ＡＣ電流値を測定する電流値測定回路を備えることにより、通電を開始してから所定時間経過以降の電流値を電流値測定回路により適宜計測することにより、ＡＣアダプターの立ち上がり特性に依存しない二次電池の充電状態を監視することが可能な充電電流測定構造
【請求項２】
ＡＣアダプターに供給するＡＣ電流を監視して携帯端末に内装される二次電池への充電状態を監視する充電構成に関して、ＡＣ電流を通電、遮断するための切替回路、通電を開始してからの時間を計数する計時回路、ＡＣ電流値を測定する電流値測定回路、測定した電流値を記憶する記憶回路、ならびに測定した電流値から記憶回路に記憶した電流値を減算する演算処理回路を備えることにより、携帯端末未接続状態において通電を開始してから所定時間経過以降に測定するＡＣアダプター単体の電流値を記憶回路に記憶し、携帯端末接続状態において測定した電流値から携帯端末未接続状態において測定記憶したＡＣアダプター単体の電流値を減算処理することにより、ＡＣアダプター単体の電流値を含まない携帯端末自体への充電電流値を監視する充電電流測定構造
【考案の詳細な説明】
【技術分野】
【０００１】携帯端末に内装されるニッケル水素電池、リチュウムイオン電池などの二次電池をＡＣアダプターにより充電する充電構造において、二次電池の充電状態をＡＣアダプターに供給するＡＣ電流値で監視する充電構成において、通電開始におけるＡＣアダプターの立ち上がり電流特性、並びにＡＣアダプター単体の消費電流などの固有差、バラッキを排除して、携帯端末に内装される二次電池への充電状態を監視する充電電流測定構造。
【背景技術】
【０００２】携帯端末に内装される二次電池への充電状態をＡＣアダプターに供給するＡＣ電流値で監視する充電構成において、ＡＣ電流値には携帯端末への充電に費やされる電流値にＡＣアダプター固有の立ち上がり特性に伴う突入電流、ＡＣアダプター固有の消費電流などによる電流値が重畳されているため、携帯端末自体への充電電流値の監視が難く、アダプターが変更された場合や、アダプターのバラッキなどによりＡＣアダプターの影響を受ける。
【考案が解決しようとする課題】
【０００３】携帯端末に内装される二次電池への充電状態をＡＣアダプターに供給するＡＣ電流値で監視する充電構成において、ＡＣ電流値には携帯端末への充電に費やされる電流値にＡＣアダプター固有の立ち上がり特性に伴う突入電流、ＡＣアダプター固有の消費電流などによる電流値が重畳されているため、携帯端末自体への充電電流値の監視が難しく、携帯端末の正しい充電電状態を監視するためには、ＡＣアダプター自体の固有の電流値を可能な限り排除しなければならない。
【課題を解決するための手段】
【０００４】ＡＣ電流を通電、遮断するための切替回路、通電を開始してからの時間を計数する時間計数回路、ＡＣ電流値を測定する電流値測定回路を備え、通電を開始してから所定時間経過以降の電流値を電流値測定回路により適宜計測することにより、ＡＣアダプター固有の立ち上がり特性に伴う突入電流による影響を排除する構成、または測定した電流値を記憶する記憶回路、ならびに測定した電流値から記憶回路に記憶した電流値を減算する演算回路を備えることにより、携帯端末未接続状態において通電を開始してから所定時間経過以降に測定するＡＣアダプター単体の電流値を記憶回路に記憶し、携帯端末接続状態において測定した電流値から携帯端末未接続状態において測定記憶したＡＣアダプター単体の電流値を減算処理する。
【考案の効果】
【０００５】ＡＣアダプター自体の固有の立ち上がり特性に伴う突入電流や突入電流継続時間、ならびにＡＣアダプター自体の消費電流などは、ＡＣアダプターの電力量が大きくなるほど大きく、長時間となるためＡＣアダプター自体の固有の電流値が排除されることにより、ＡＣ電流値で携帯端末に内装される二次電池への充電状態を良好に監視することが出来る。
【考案を実施するための形態】
【０００６】携帯端末の充電に使用されるＡＣアダプターは、交流電力を、内部の変圧器によって電圧を降下（降圧）させた後、整流器によって整流し、安定化回路を経由して直流電力を出力する。整流器ならびに直流電圧出力には大きな容量の平滑コンデンサーが搭載されているため、ＡＣ電源の通電開始時には大きな突入電流が所定時間流れて後、ＡＣアダプター自体で消費される消費電流値に落ち着く。突入電流値、突入時間、ならびに消費電流値はＡＣアダプターの許容電力量によって異なり、ＡＣ電流値で携帯端末に内装される二次電池への充電状態を監視する場合は充電電流にＡＣアダプター自体の突入電流、消費電流が重畳されている。
【０００７】携帯端末に内装される二次電池への充電状態をＡＣ電流で監視する場合は、図４に示す如く、ＡＣ電流を通電して以降の電流値はＴ１；急速充電域，Ｔ２緩速充電域，Ｔ３満充電域と推移するため、ＡＣ電流値Ｉを監視すれば二次電池の充電状態が把握される。携帯端末への充電構成は図１に示すように、ＡＣ電源４、切替回路３、ＡＣアダプター１、携帯端末２のように接続構成され、切替回路３がＯＮされた状態で充電が行われる。
【０００８】携帯端末に内装される二次電池への充電監視においてＡＣアダプターの突入電流による障害を排除する手段は、図２に於いて、切替回路３がＯＮされて充電が開始されてから所定時間はＡＣアダプター１に大きな突入電流が流れるため、突入電流が流れていると想定される時間はＡＣ電流値を計測せず、所定時間経過して以降のＡＣ電流を計測して携帯端末の充電状態を監視する。ＡＣ電流は整流回路６の出力をＡＤ変換回路７によりＡＤ変換して、時間計数回路８により経過時間を計時して所定時間経過以降のＡＣ電流値を出力回路９を通して監視する。突入電流に比較するとＡＣアダプター自体の消費電流は少ないため、スマホのような小型の携帯端末に適用するＡＣアダプターにおいては突入電流を回避すれば例え消費電流が重畳されていても測定されたＡＣ電流値により二次電池への充電監視を行っても致命的な誤差とはなり難い。
【０００９】ただし、ＡＣアダプターの固有性を排除して監視精度を高めるためにはＡＣアダプター自体の消費電流も無視できないため、図３に於いては突入電流と消費電流のいずれも排除する構成を示している。携帯端末２を接続しない状態で切替回路３をＯＮしてＡＣアダプター１に通電し、この状態で時間計数回路８により突入電流が発生している時間内はＡＣ電流値を計測せず、所定時間経過して以降にＡＣ電流を計測して得られた電流値を記憶回路１０に記憶する。この記憶電流値はＡＣアダプター自体の消費電流値を示している。記憶電流値を記憶して以降は、携帯端末２をＡＣアダプターに接続し、以降に得られる電流値から記憶回路に記憶した電流値を演算回路１１で減算することにより、ＡＣアダプター自体の電流値を排除した二次電池自体の充電状態を示す正確な監視が出来る。
【実施例】
【００１０】本考案の実施例は図３に示す構成を採用した。切替回路３はトライアック、通電を開始してからの時間を計数する時間計数回路８はＣＰＵタイマー、ＡＣ電流値を測定する電流値測定回路３はＡＣカーレントプルーブ、ＡＣアダプター単体の消費電流値を記憶する記憶回路１０はメモリー、測定した電流値から記憶回路１０に記憶した電流値を減算する演算処理回路１１はＣＰＵで構成し、携帯端末接続状態において測定した電流値から携帯端末未接続状態において測定記憶した電流値を減算処理することにより、ＡＣアダプター自体の電流値を含まない携帯端末への充電電流値を監視することが可能である。携帯端末に適用されるＡＣアダプターで生ずる突入電流は数百ミリアンペア程度、発生時間は数秒程度であるため突入電流を回避することは極めて重要であり、突入電流を回避するタイマーの時間計数は１０秒に設定した。なおＡＣアダプターと携帯端末との接続、切断に関しては切替回路、手操作の何れでも良いなど、回路構成、デイメンジョンなどに関しては、本考案の趣旨を逸脱しない範囲であれば種々変形実施が可能である。
【図面の簡単な説明】
【００１１】
【図１】携帯端末をＡＣアダプターで充電する場合の基本的な構成を示す概念図
【図２】ＡＣアダプターの通電開始による突入電流を排除する構成概念図
【図３】ＡＣアダプターの突入電流、消費電流を排除する構成概念図
【図４】携帯端末に内装される二次電池の充電状態の監視を示す概念図
【符号の説明】      １  ＡＣアダプター
２  携帯端末
３  切替回路
４  ＡＣ１００Ｖ
５  ＡＣカーレントプルーブ
６  整流回路
７  ＡＤ変換回路
８  時間計数回路
１０  電流値記憶回路
１１  演算処理回路
９  出力回路
【図１】
0003219096.tif 000003
【図２】
0003219096.tif 000004
【図３】
0003219096.tif 000005
【図４】
0003219096.tif 000006